(57)【要約】【課題】横たわり面の高さの調整、横たわり面の多段化を可能とし、私的空間を確保でき、組み立ての簡易化を図る上で有利な災害時用簡易ベッドを提供する。【解決手段】災害時用簡易ベッド１０は、長方形枠状の横たわり用フレーム１２と、長方形枠状の横たわり用シート１６と、長方形枠状の横たわり用フレーム１２の各角部に挿通され横たわり用フレーム１２を床面から上方に離れた箇所で支持すると共に前記角部よりも上方に突出する４本の支柱１４１２と、横たわり用フレーム１２に着脱可能に掛装されることで横たわり用フレーム１２の内側に横たわり面Ｐを形成する横たわり用シート１６と、４本の支柱１４１２に着脱可能に掛装され横たわり面Ｐの周囲および上方を覆う目隠し用シート１８を備え、横たわり用フレーム１２は支柱１４に対して床面からの高さが変更できるように支持されている。【選択図】図１
2020048988.tif 000002
【特許請求の範囲】
【請求項１】
長方形枠状の横たわり用フレームと、
前記横たわり用フレームの各角部に挿通され前記横たわり用フレームを床面から上方に離れた箇所で支持すると共に前記角部よりも上方に突出する複数の支柱と、
前記横たわり用フレームに着脱可能に掛装されることで前記横たわり用フレームの内側に横たわり面を形成する横たわり用シートと、
前記複数の支柱に着脱可能に掛装され前記横たわり面の周囲および上方を覆う目隠し用シートを備え、
前記横たわり用フレームは前記支柱に対して床面からの高さが変更できるように支持されている、
ことを特徴とする災害時用簡易ベッド。
【請求項２】
長方形枠状の複数の横たわり用フレームと、
前記複数の横たわり用フレームを上下方向に離して並べた状態で前記各横たわり用フレームの各角部に挿通され前記複数の横たわり用フレームを床面から上方に離れた箇所で支持すると共に最も上位の横たわり用フレームの前記角部よりも上方に突出する複数の支柱と、
前記各横たわり用フレームに着脱可能に掛装され各横たわり用フレームの内側に横たわり面を形成する横たわり用シートと、
前記複数の支柱に着脱可能に掛装され前記各横たわり面の周囲および上方を覆う複数の目隠し用シートを備え、
前記各横たわり用フレームは前記支柱に対して床面からの高さが変更できるように支持されている、
ことを特徴とする災害時用簡易ベッド。
【請求項３】
前記支柱に着脱可能に取り付けられるクリアポケットが設けられ、
前記クリアポケットは、タッチパネルに対するタッチ操作が可能な透明な合成樹脂製のシートを用いて構成されている、
ことを特徴とする請求項１または２記載の災害時用簡易ベッド。
【請求項４】
前記横たわり用フレームは、前記長方形枠状の長辺を構成する一対の長尺パイプ材と、前記長方形枠状の短辺を構成する一対の短尺パイプ材と、前記横たわり用フレームの各角部に配置された継手部材とを備え、
前記継手部材は、互いに交差する前記長尺パイプ材の端部と前記短尺パイプ材の端部とを着脱可能に結合するパイプ材用結合部と、前記パイプ材用結合部に一体に設けられ前記支柱が着脱可能に結合する支柱用結合部とを有している、
ことを特徴とする請求項１から３の何れか１項記載の災害時用簡易ベッド。
【請求項５】
前記一対の長尺パイプ材は、２つのパイプが並べられて構成され、
前記２つのパイプを直線状に着脱可能に結合する結合部材が設けられ、
前記長尺パイプ材の長手方向と直交する方向に延在し前記一対の長尺パイプ材の長手方向の中間部を連結する補強材が前記結合部材を介して設けられている、
ことを特徴とする請求項４記載の災害時用簡易ベッド。
【請求項６】
平面視した場合に前記補強材で２分された前記横たわり用シートの２つの矩形部分に、前記横たわりシートの裏面で前記矩形部分の互いに対向する角部にわたって延在する補強テープが設けられている、
ことを特徴とする請求項５記載の災害時用簡易ベッド。
【請求項７】
前記横たわり用シートは、前記一対の長尺パイプ材と前記一対の短尺パイプ材とにより成形される長方形枠の内側に張設され前記横たわり面を形成する長方形状のシート本体と、前記シート本体の一対の長辺から突設され前記一対の長尺パイプ材に巻き掛けられ、かつ前記横たわり面の裏面側へ折り返される一対の長辺突出片と、前記横たわり面の一対の短辺から突設され前記一対の短尺パイプ材に巻き掛けられる一対の短辺突出片とを備える、
ことを特徴とする請求項４から６の何れか１項記載の災害時用簡易ベッド。
【請求項８】
前記一対の長辺突出片をそれぞれ前記横たわり面の裏面に着脱可能に取着する面ファスナーと、前記一対の短辺突出片を前記横たわり面の裏面に着脱可能に取着し前記横たわり面に張力を付与する複数の短辺側バックルを備えている、
ことを特徴とする請求項７記載の災害時用簡易ベッド。
【請求項９】
前記一対の長辺突出片を前記横たわり面の裏面に着脱可能に取着し前記横たわり面に張力を付与する複数の長辺側バックルを備えている、
ことを特徴とする請求項７記載の災害時用簡易ベッド。
【請求項１０】
前記横たわり用シートに転落防止シートが設けられ、
前記転落防止シートは、
前記シート本体と長辺、短辺を合致させた状態で前記シート本体の上面に重ね合わされた状態で取り付けられる長方形状の転落防止シート本体と、
前記転落防止シート本体の一対の長辺から突設された一対の転落防止片と、
前記一対の転落防止片の先部で前記一対の転落防止片の長手方向の両端から突出する帯状部材とを備え、
前記帯状部材が前記支柱に取り付けられることで前記一対の転落防止片が前記転落防止シート本体から起立した起立状態を保持するように構成されている、
ことを特徴とする請求項７から９の何れか１項記載の災害時用簡易ベッド。
【請求項１１】
前記目隠し用シートは、前記横たわり面の上方を覆う天井シート部と、前記天井シートの下方で前記横たわり面の周囲を覆う４つの側面シート部とを含んで構成され、
前記４つの側面シート部のうちの１つの側面シート部は開閉可能に構成されている、
ことを特徴とする請求項１または２記載の災害時用簡易ベッド。
【請求項１２】
対角線上に位置する前記支柱の上端間に上方に凸のアーチ状に湾曲した天井ロッドが設けられ、
前記天井シート部は前記天井ロッド上で支持されている、
ことを特徴とする請求項１１記載の災害時用簡易ベッド。
【請求項１３】
前記支柱は、パイプ材で構成された１つまたは複数の支柱用分割体と、前記支柱用分割体の上端に取り付けられ前記天井ロッドを支持する繊維強化樹脂材料で構成された支柱用ロッドとで構成されている、
ことを特徴とする請求項１２記載の災害時用簡易ベッド。
【請求項１４】
前記１つの側面シート部は、前記側面シートの上下方向と直交する幅方向の両端寄りの箇所が上下方向に沿って切断され、前記側面シート部と前記天井シート部の境目と、前記切断された箇所で囲まれた前記側面シート部の矩形部分が出入口を開閉する扉部を構成し、
筒状に巻き上げられた前記扉部を前記出入口の上方の箇所で保持する留め具が設けられている、
ことを特徴とする請求項１１から１３の何れか１項記載の災害時用簡易ベッド。
【発明の詳細な説明】
【技術分野】
【０００１】
本発明は、災害時用簡易ベッドに関する。
【背景技術】
【０００２】
例えば、津波、地震、火山の噴火、大雨による土砂崩れなどの災害時、余儀なく自宅から離れなければならない場合、多くの人は体育館や学校などの避難場所に避難する。
避難場所では、単一の空間に多くの人が収容され、飲料水や食べ物が支給されると共に、就寝用のための毛布が支給される。
このようなことから避難場所では、プライバシーを保護する空間を確保できるように目隠しシートを備える災害時用簡易ベッドが使用される（特許文献１）。
従来、この種の簡易ベッドは種々提案されているものの、横たわり面の床面からの高さを調整し得る簡易ベッド、あるいは、一段でも二段乃至それ以上の段でも使用し得る簡易ベッドは提案されておらず、災害時の避難場所に提供されていないのが現状である。
【先行技術文献】
【特許文献】
【０００３】
【特許文献１】特開２００７−１６００３０号公報
【発明の概要】
【発明が解決しようとする課題】
【０００４】
本発明は前記事情に鑑み案出されたものであって、本発明の目的は、災害時の避難場所において、大きな場所を取ることなく、横たわり面の高さの調整、横たわり面の多段化を可能とし、私的空間を確保でき、組み立ての簡易化を図る上で有利な災害時用簡易ベッドを提供することにある。
【課題を解決するための手段】
【０００５】
上述した目的を達成するために、本発明の災害時用簡易ベッドは、長方形枠状の横たわり用フレームと、前記横たわり用フレームの各角部に挿通され前記横たわり用フレームを床面から上方に離れた箇所で支持すると共に前記角部よりも上方に突出する複数の支柱と、前記横たわり用フレームに着脱可能に掛装されることで前記横たわり用フレームの内側に横たわり面を形成する横たわり用シートと、前記複数の支柱に着脱可能に掛装され前記横たわり面の周囲および上方を覆う目隠し用シートを備え、前記横たわり用フレームは前記支柱に対して床面からの高さが変更できるように支持されていることを特徴とする。
また、本発明の災害時用簡易ベッドは、長方形枠状の複数の横たわり用フレームと、前記複数の横たわり用フレームを上下方向に離して並べた状態で前記各横たわり用フレームの各角部に挿通され前記複数の横たわり用フレームを床面から上方に離れた箇所で支持すると共に最も上位の横たわり用フレームの前記角部よりも上方に突出する複数の支柱と、前記各横たわり用フレームに着脱可能に掛装され各横たわり用フレームの内側に横たわり面を形成する横たわり用シートと、前記複数の支柱に着脱可能に掛装され前記各横たわり面の周囲および上方を覆う複数の目隠し用シートを備え、前記各横たわり用フレームは前記支柱に対して床面からの高さが変更できるように支持されていることを特徴とする。
また、本発明の災害時用簡易ベッドは、前記支柱に着脱可能に取り付けられるクリアポケットが設けられ、前記クリアポケットは、タッチパネルに対するタッチ操作が可能な透明な合成樹脂製のシートを用いて構成されていることを特徴とする。
また、本発明の災害時用簡易ベッドは、前記横たわり用フレームは、前記長方形枠状の長辺を構成する一対の長尺パイプ材と、前記長方形枠状の短辺を構成する一対の短尺パイプ材と、前記横たわり用フレームの各角部に配置された継手部材とを備え、前記継手部材は、互いに交差する前記長尺パイプ材の端部と前記短尺パイプ材の端部とを着脱可能に結合するパイプ材用結合部と、前記パイプ材用結合部に一体に設けられ前記支柱が着脱可能に結合する支柱用結合部とを有していることを特徴とする。
また、本発明の災害時用簡易ベッドは、前記一対の長尺パイプ材は、２つのパイプが並べられて構成され、前記２つのパイプを直線状に着脱可能に結合する結合部材が設けられ、前記長尺パイプ材の長手方向と直交する方向に延在し前記一対の長尺パイプ材の長手方向の中間部を連結する補強材が前記結合部材を介して設けられていることを特徴とする。
また、本発明の災害時用簡易ベッドは、平面視した場合に前記補強材で２分された前記横たわり用シートの２つの矩形部分に、前記横たわりシートの裏面で前記矩形部分の互いに対向する角部にわたって延在する補強テープが設けられていることを特徴とする。
また、本発明の災害時用簡易ベッドは、前記横たわり用シートは、前記一対の長尺パイプ材と前記一対の短尺パイプ材とにより成形される長方形枠の内側に張設され前記横たわり面を形成する長方形状のシート本体と、前記シート本体の一対の長辺から突設され前記一対の長尺パイプ材に巻き掛けられ、かつ前記横たわり面の裏面側へ折り返される一対の長辺突出片と、前記横たわり面の一対の短辺から突設され前記一対の短尺パイプ材に巻き掛けられる一対の短辺突出片とを備えることを特徴とする。
また、本発明の災害時用簡易ベッドは、前記一対の長辺突出片をそれぞれ前記横たわり面の裏面に着脱可能に取着する面ファスナーと、前記一対の短辺突出片を前記横たわり面の裏面に着脱可能に取着し前記横たわり面に張力を付与する複数の短辺側バックルを備えていることを特徴とする。
また、本発明の災害時用簡易ベッドは、前記一対の長辺突出片を前記横たわり面の裏面に着脱可能に取着し前記横たわり面に張力を付与する複数の長辺側バックルを備えていることを特徴とする。
また、本発明の災害時用簡易ベッドは、前記横たわり用シートに転落防止シートが設けられ、前記転落防止シートは、前記シート本体と長辺、短辺を合致させた状態で前記シート本体の上面に重ね合わされた状態で取り付けられる長方形状の転落防止シート本体と、前記転落防止シート本体の一対の長辺から突設された一対の転落防止片と、前記一対の転落防止片の先部で前記一対の転落防止片の長手方向の両端から突出する帯状部材とを備え、前記帯状部材が前記支柱に取り付けられることで前記一対の転落防止片が前記転落防止シート本体から起立した起立状態を保持するように構成されていることを特徴とする。
また、本発明の災害時用簡易ベッドは、前記目隠し用シートは、前記横たわり面の上方を覆う天井シート部と、前記天井シートの下方で前記横たわり面の周囲を覆う４つの側面シート部とを含んで構成され、前記４つの側面シート部のうちの１つの側面シート部は開閉可能に構成されていることを特徴とする。
また、本発明の災害時用簡易ベッドは、対角線上に位置する前記支柱の上端間に上方に凸のアーチ状に湾曲した天井ロッドが設けられ、前記天井シート部は前記天井ロッド上で支持されていることを特徴とする。
また、本発明の災害時用簡易ベッドは、前記支柱は、パイプ材で構成された１つまたは複数の支柱用分割体と、前記支柱用分割体の上端に取り付けられ前記天井ロッドを支持する繊維強化樹脂材料で構成された支柱用ロッドとで構成されていることを特徴とする。
また、本発明の災害時用簡易ベッドは、前記１つの側面シート部は、前記側面シートの上下方向と直交する幅方向の両端寄りの箇所が上下方向に沿って切断され、前記側面シート部と前記天井シート部の境目と、前記切断された箇所で囲まれた前記側面シート部の矩形部分が出入口を開閉する扉部を構成し、筒状に巻き上げられた前記扉部を前記出入口の上方の箇所で保持する留め具が設けられていることを特徴とする。
【発明の効果】
【０００６】
本発明の災害時用簡易ベッドによれば、横たわり用フレームを支柱に対して床面からの高さが変更できるように支持する構成にしたので、横たわり面を上り下りする利用者に合わせて横たわり面の高さを調整する上で有利となる。
また、横たわり面の周囲および上方が目隠し用シートで覆われるので、避難所での私的空間を確保でき、プライバシーの保護を図る上で有利となる。
さらに、横たわり用フレームおよび支柱は複数のパイプ材から構成され、目隠し用シートは折り畳み可能であるため、災害時用簡易ベッドは軽量であり、搬入、組み立て、分解、撤去を簡単に行なう上で有利となる。
また、本発明の災害時用簡易ベッドによれば、複数の横たわり用フレームを、上下方向に離して並べた状態で複数の支柱により支持することで二段以上の段数の災害時用簡易ベッドを構成する上で有利となる。
また、クリアポケットが設けられた本発明の災害時用簡易ベッドによれば、災害時用簡易ベッドの利用者は、クリアポケットに収納したスマートフォンやタブレット端末を取り出すことなく、タッチパネルに対するタッチ操作を容易に行なうことができ、使い勝手の向上を図る上で有利となる。
また、横たわり用フレームが一対の長尺パイプ材と一対の短尺パイプ材と継手部材とを備える本発明の災害時用簡易ベッドによれば、横たわり用フレームの組み立て、分解を簡単に行なう上で有利となる。
また、補強材が結合部材を介して設けられた本発明の災害時用簡易ベッドによれば、横たわり用フレームの強度を確保する上で有利となる。
また、横たわり用シートに補強テープが設けられた本発明の災害時用簡易ベッドによれば、横たわり用シートの強度および耐久性の向上を図る上で有利となる。
また、横たわり用シートが長方形状のシート本体と一対の長辺突出片と一対の短辺突出片とを備える本発明の災害時用簡易ベッドによれば、横たわり用シートの横たわりフレームへの取り付け、取り外しを簡単に行なう上で有利となる。
また、面ファスナーと複数の短辺側バックルを備える本発明の災害時用簡易ベッドによれば、横たわり用シートの横たわりフレームへの取り付け、取り外しを簡単に行なうと共に、横たわり面の沈み込みを抑制して利用者の腰の落ち込みを防止する上で有利となる。
また、複数の長辺側バックルを備える本発明の災害時用簡易ベッドによれば、横たわり面の沈み込みを抑制して利用者の腰の落ち込みを防止する上で有利となる。
また、転落防止シートを備える本発明の災害時用簡易ベッドによれば、利用者の転落防止を図る上で有利となり、災害時用簡易ベッドの利用価値を高める上で有利となる。
また、目隠し用シートの１つの側面シート部を開閉可能とした本発明の災害時用簡易ベッドによれば、災害時用簡易ベッドへの出入りを簡単に行なう上で有利となる。
また、天井シート部が天井ロッド上で支持された本発明の災害時用簡易ベッドによれば、構成の簡素化を図る上で有利となる。
また、繊維強化樹脂材料で構成された支柱用ロッドを備える本発明の災害時用簡易ベッドによれば、支柱の強度を確保しつつ支柱を軽量化でき、災害時用簡易ベッドの軽量化を図る上で有利となる。
また、留め具を備える本発明の災害時用簡易ベッドによれば、留め具を用いて扉部を保持することで、出入口の開放状態が維持されるので、災害時用簡易ベッドの出入りが容易にでき、使い勝手の向上が図られている。
【図面の簡単な説明】
【０００７】
【図１】第１の実施の形態を示す災害時用簡易ベッドの斜視図である。
【図２】第１の実施の形態に示す災害時用簡易ベッドの目隠し用シートを取り外した横たわり用フレームおよび支柱の組み立て状態を示す斜視図である。
【図３】第１の実施の形態に示す横たわり用フレームを構成するパイプ材用結合部と支柱用結合部との結合関係を示す要部の斜視図である。
【図４】図３の４−４線に沿う断面図である。
【図５】第１の実施の形態に示す横たわり用フレームに横たわり用シートを掛装した状態を示す斜視図である。
【図６】第１の実施の形態に示す横たわり用シートの裏面図である。
【図７】第１の実施の形態に示す横たわり用シートの一対の短辺突出片を横たわり面の裏面に着脱可能に取着するバックルの平面図である。
【図８】図５に示すバックルの側面図である。
【図９】第２の実施の形態を示す災害時用簡易ベッドの斜視図である。
【図１０】第２の実施の形態に示す災害時用簡易ベッドの目隠し用シートを取り外した横たわり用フレームおよび支柱の組み立て状態を示す斜視図である。
【図１１】第２の実施の形態に示す下段および上段の横たわり用フレームと支柱との結合関係を示す要部の斜視図である。
【図１２】第３の実施の形態に示す横たわり用シートの裏面図である。
【図１３】（Ａ）は短辺側バックルの第１連結具の平面図、（Ｂ）は（Ａ）の側面図である。
【図１４】（Ａ）は短辺側バックルの第２連結具の平面図、（Ｂ）は（Ａ）の側面図である。
【図１５】（Ａ）は長辺側バックルの第１連結具の平面図、（Ｂ）は（Ａ）の側面図である。
【図１６】（Ａ）は長辺側バックルの第２連結具の平面図、（Ｂ）は（Ａ）の側面図である。
【図１７】第４の実施の形態を示す災害時用簡易ベッドの斜視図である。
【図１８】第４の実施の形態に示す災害時用簡易ベッドの目隠し用シートを取り外した横たわり用フレームおよび支柱の組み立て状態を示す斜視図である。
【図１９】結合部材およびパイプ分割体の結合関係を示す斜視図である。
【図２０】結合部材の結合ピン、板ばねの構成を示す斜視図である。
【図２１】結合部材の構成を示す断面図である。
【図２２】天井ロッドと支柱との結合関係を示す断面図である。
【図２３】第４の実施の形態に示す横たわり用シートの裏面図である。
【図２４】第５の実施の形態を示す災害時用簡易ベッドの斜視図である。
【図２５】第５の実施の形態に示す災害時用簡易ベッドの目隠し用シートを取り外した横たわり用フレームおよび支柱の組み立て状態を示す斜視図である。
【図２６】結合部材、下部支柱分割体、上部支柱分割体の結合関係を示す斜視図である。
【図２７】第６の実施の形態を示す横たわりシートおよび転落防止シートの斜視図である。
【図２８】図２７のＡ−Ａ線断面図である。
【図２９】第６の実施の形態に示す災害時用簡易ベッドの横たわり用フレームおよび支柱に転落防止シートを取り付けた状態を示す斜視図である。
【図３０】第７の実施の形態における支柱と帯状部材と取り付け構造を示す斜視図である。
【図３１】第８の実施の形態における支柱を構成する部材の説明図である。
【図３２】第８の実施の形態における支柱の組み立て図であり、（Ａ）は一段式の災害時用簡易ベッドに対応し、（Ｂ）は二段式の災害時用簡易ベッドに対応している。
【発明を実施するための形態】
【０００８】
（第１の実施の形態）
以下、本発明の第１の実施の形態を図１〜図８を参照して説明する。
図１に示すように、第１の実施の形態に示す災害時用簡易ベッド１０は、一段式の簡易ベッドを構成するもので、長方形枠状の横たわり用フレーム１２と、４本の支柱１４と、１枚の横たわり用シート１６と、目隠し用シート１８と、クリアポケット２０を備えている。
横たわり用フレーム１２は、図２および図３に示すように、長方形枠状の長辺を構成する一対の長尺パイプ材１２２と、長方形枠状の短辺を構成する一対の短尺パイプ材１２４と、横たわり用フレーム１２の各角部に配置された４個の継手部材１２６とを含んで構成されている。
各継手部材１２６は、各短尺パイプ材１２４の両端と該両端にそれぞれ対向する各長尺パイプ材１２２の両端とをそれぞれ着脱可能に結合するパイプ材用結合部１２６２と、パイプ材用結合部１２６２に一体に設けられ、支柱１４が着脱可能に結合する筒状の支柱用結合部１２６４とを有している。
【０００９】
各長尺パイプ材１２２は、図２に示すように、２つのパイプ１２２ａが直線状に並べられて構成されるもので、この２つのパイプ１２２ａは結合部材２６により着脱可能に結合されている。
また、横たわり用フレーム１２は、長尺パイプ材１２２の長手方向と直交する方向に延在し、一対の長尺パイプ材１２２の長手方向の中間部を結合部材２６を介して連結する補強材２８を備えている。
このように補強材２８により結合部材２６を介して一対の長尺パイプ材１２２を連結することで横たわり用フレーム１２の強度が確保されている。
【００１０】
４本の支柱１４は、横たわり用フレーム１２を床面から上方に離れた箇所で水平に支持するもので、一段式の簡易ベッドに必要な所定の長さと筒状の支柱用結合部１２６４に着脱可能に挿通し得る外径を有するパイプ材から構成されている。
このような支柱１４を用いて横たわり用フレーム１２を床面から上方に離れた箇所に支持するに際しては、図３および図４に示すように、各支柱１４に、支柱１４の下端寄りに下端から上端に向け所定の間隔をおいて支柱１４の径方向に貫通する複数の結合孔１４２を形成し、さらに、筒状の支柱用結合部１２６４には、支柱用結合部１２６４の径方向に貫通する結合孔１２６６を結合孔１４２に対応させて形成する。そして、支柱用結合部１２６４内に挿通した支柱１４の結合孔１４２を支柱用結合部１２６４の結合孔１２６６に一致させた状態で結合ピン１２６８を、結合孔１２６６を通して結合孔１４２に係合する。これにより、継手部材１２６を支柱１４に固定して横たわり用フレーム１２を支柱１４に支持することが可能になる。
【００１１】
また、図２に示すように、各継手部材１２６の各支柱用結合部１２６４から上方に突出する各支柱１４において、対角線上に位置する支柱１４の上端間に上方に凸のアーチ状に湾曲した天井ロッド２２が設けられている。
また、各支柱１４の床面への設置端には、床面設置用の脚パット２４がそれぞれ着脱可能に取り付けられており、災害時用簡易ベッド１０が設置される体育館などの床面に対するキズ付きの防止が図られている。
【００１２】
横たわり用シート１６は、図１および図５に示すように、横たわり用フレーム１２に着脱可能に掛装されることで横たわり用フレーム１６の内側に横たわり面Ｐを形成するものである。
横たわり用シート１６は、利用者の体重を支持するに足る強度を有する布や織物あるいは合成樹脂材料で構成されている。
詳細に説明すると、横たわり用シート１６は、図６に示すように、一対の長尺パイプ材１２２と一対の短尺パイプ材１２４とにより成形される長方形枠の内側に張設され、横たわり面Ｐを形成する長方形状のシート本体１６０２と、シート本体１６０２の一対の長辺から突設され、一対の長尺パイプ材１２２に巻き掛けられてシート本体１６０２の裏面側へ折り返される一対の長辺突出片１６０４と、シート本体１６０２の一対の短辺から突設され、一対の短尺パイプ材１２４に巻き掛けられてシート本体１６０２の裏面側へ折り返される一対の短辺突出片１６０６とを備えている。
一対の長辺突出片１６４の長手方向の中央には、長辺突出片１６４が長尺パイプ材１２２に巻き掛けられるように、長尺パイプ材１２２の結合部材２６を逃がすための切欠き部１６０８が形成されている。
このように横たわり用シート１６がシート本体１６０２と一対の長辺突出片１６０４と一対の短辺突出片１６０６とを備えて構成されることで、横たわり用シート１６の横たわりフレーム１２への取り付け、取り外しの簡単化が図られている。
【００１３】
図６に示すように、シート本体１６０２の裏面には、平面視した場合に補強材２８で２分されるシート本体１６０２の２つの矩形部分１６０２ａの互いに対向する角部の対角線上に延在する補強テープ１６１０がそれぞれ設けられている。
本実施の形態では、２つの矩形部分１６０２ａに設けられた各補強テープ１６１０の一端は、後述する面ファスナー３０Ｂの長手方向の端部に接続され、他端は、切欠き部１６０８の近傍の面ファスナー３０Ｂの箇所に接続されている。
また、一対の長尺パイプ材１２２に巻き掛けられる一対の長辺突出片１６０４の先端の裏面縁部と該裏面縁部に対向するシート本体１６０２の一対の長辺の裏面縁部には、図６に示すように、一対の長辺突出片１６０４をそれぞれ横たわり面Ｐの裏面に着脱可能に取着する面ファスナー３０Ａ、３０Ｂが長辺突出片１６０４の長手方向およびシート本体１６０２の長手方向に延在してそれぞれ設けられている。
さらに、一対の短辺突出片１６０６には、図６に示すように、一対の短辺突出片１６０６を、横たわり面Ｐを形成するシート本体１６０２の裏面に着脱可能に取着し横たわり面Ｐに張力を付与する３個の短辺側バックル３２がそれぞれ設けられている。
【００１４】
短辺側バックル３２は、図７および図８に示すように、各短辺突出片１６０６の裏面にシート本体１６０２の長手方向の端部から短辺突出片１６０６の突出方向に延在してシート本体１６０２に縫い付け状態に設けられた張力バンド３２０２と、短辺突出片１６０６側で張力バンド３２０２の一端に連結された第１連結具３２０４と、第１連結具３２０４に係脱可能に連結される第２連結具３２０６と、シート本体１６０２の長手方向の一端に固定され第２連結具３２０６を、横たわり面Ｐに張力を付与する方向に移動させる締付バンド３２０８とを含んで構成されている。
【００１５】
横たわり用シート１６を横たわり用フレーム１２に取り付けるに際しては、まず、横たわり用シート１６の一対の長辺突出片１６０４を対応する一対の長尺パイプ材１２２に巻き掛けてシート本体１６０２の裏面側へ折り返し、この一対の長辺突出片１６０４を、面ファスナー３０Ａ、３０Ｂを介してシート本体１６０２の裏面に取着する。
次いで、横たわり用シート１６の一対の短辺突出片１６０６を一対の短尺パイプ材１２４に巻き掛けてシート本体１６０２の裏面側へ折り返す。そして、第１連結具３２０４と第２連結具３２０６とを連結した後、第２連結具３２０６の締付バンド３２０８を締付方向に引っ張ることにより、シート本体１６０２に張力を付与することで横たわり用シート１６を横たわり用フレーム１２に掛装する。
【００１６】
目隠し用シート１８は、図１に示すように、４本の支柱１４に着脱可能に掛装され横たわり面Ｐを含む横たわり用フレーム１２の周囲および上方を覆うものである。
目隠し用シート１８は、横たわり面Ｐの上方を覆う天井シート部１８０２と、天井シート部１８０２下方で横たわり面Ｐの周囲を覆う４つの側面シート部１８０４Ａ〜１８０４Ｄとを含んで構成されている。
また、４つの側面シート部１８０４Ａ〜１８０４Ｄのうち横たわり用フレーム１２の一方の長辺側に位置する側面シート部１８０２Ａは、その長手方向の中間部が上下方向に沿って切断され、切断部分の縁部が線ファスナー１８０６により開閉可能に構成され、出入口として使用されると共に、線ファスナー１８０６を閉じることによりプライバシーの保護が図られている。
また、天井シート部１８０２は、天井ロッド２２によりドーム状に支持されており、構成の簡素化が図られている。
【００１７】
なお、目隠し用シート１８として、半透明や不透明な従来公知の様々な材料、例えば、布や合成樹脂製のシートが採用可能である。
また、シートは、水などが目隠し用シート１８の内側へ侵入しないように撥水性を有することが好ましく、耐火性の観点から防炎性、難燃性を有することが好ましい。
また、シートとして、遮光性を有するものを用いると、体育館の照明を遮ることができ、避難者が任意の時間に休息でき、また、シートが透けないので、着替えを安心して行なうことができる。
また、目隠し用シート１８の支柱１４への保持は公知のクリップなどを利用して行われている。
なお、目隠し用シート１８の側面シート部１８０４Ａの線ファスナー１８０６を省略して切断部分の縁部を出入口として使用してもよく、この場合は、災害時用簡易ベッド１０への出入りを簡単に行なう上で有利となる。
【００１８】
クリアポケット２０は、災害用のトリアージタグや簡易ベッド１０を使用する利用者用のペットボトルなどの飲料等を収納するもので、メッシュタイプの生地などから構成されている。
このようなクリアポケット２０は、横たわり用シート１６に、図示省略の面ファスナーを介して着脱可能に取り付けられ、横たわり用フレーム１２から吊り下げられている。
【００１９】
なお、一段式の簡易ベッド１０において、横たわり面Ｐの幅は、寝返りできることなどを考慮すると、９０〜１１０ｃｍ程度が好ましい。
横たわり面Ｐの長さは、背の高い利用者を考慮すると、１９０〜２１０ｃｍ程度が好ましい。
横たわり面Ｐの床からの高さは、横たわり面Ｐに腰を下ろすことなどを考慮すると、２０〜４０ｃｍ程度が好ましい。
天井シート部１８０２の横たわり面Ｐからの高さは、横たわり面Ｐ上で利用者が上半身を起こした状態で、頭部と天井シート部１８０２との間に空間を確保することを考慮すると、７０〜９０ｃｍ程度が好ましい。天井シート部１８０２の横たわり面Ｐからの高さを７０〜９０ｃｍ程度にすると、楽な姿勢で横たわり面Ｐ上で座る上で有利となる。
【００２０】
上記のように構成された第１の実施の形態に示す災害用簡易ベッド１０によれば、横たわり用フレーム１２を支柱１４に対して床面からの高さが変更できるように支持する構成にしたので、横たわり用シート１６の横たわり面Ｐを上り下りする利用者に合わせて横たわり面Ｐの高さを調整することができる。これに伴い、横たわり用シート１６の横たわり面Ｐを高くすることで、利用者が横たわり用シート１６から楽に立ち上がる上で有利となる。
また、横たわり面Ｐの周囲および上方が目隠し用シート１８で覆われるので、避難所での私的空間を確保でき、プライバシーの保護を図る上で有利となる。
さらに、横たわり用フレーム１２およびこれを支持する支柱１４は複数のパイプ材から構成され、目隠し用シート１８は折り畳み可能であるため、災害時用簡易ベッド１０は軽量であり、搬入、組み立て、分解、撤去を簡単に行なう上で有利となる。
また、横たわり用フレーム１２の継手部材１２６の支柱用結合部１２６４から上方に突出する支柱１４の突出部分を手すりとして機能させることができるため、利用者が支柱１４の突出部分を掴むことで、利用者が横たわり用シート１６から楽に立ち上がる上で有利となる。
また、横たわり用シート１６の横たわり用フレーム１２への掛装に面ファスナー３０Ａ、３０Ｂおよびベルト式の短辺側バックル３２を使用することにより、横たわり用フレーム１２に対する横たわり用シート１６の掛装が容易になると共に、短辺側バックル３２により横たわり用シート１６の横たわり面Ｐにシート本体１６０２の長手方向に沿った張力を付与することで横たわり面Ｐの沈み込みを抑制して利用者の腰の落ち込みを防止する上で有利となる。
また、横たわり用シート１６に補強テープ１６１０を設けることにより、横たわり用シート１６の強度および耐久性の向上を図る上で有利となる。
さらに、横たわり用シート１６に着脱可能に取り付けられるクリアポケット２０を備えているので、災害用トリアージタグや利用者の個人用品を保管する上で有利となる。
【００２１】
（第２の実施の形態）
以下、本発明の第２の実施の形態を図９〜図１１を参照して説明する。
なお、以下の実施の形態において、第１の実施の形態に示す構成要素と同一の構成要素には同一符号を付して、その構成説明を省略し、第１の実施の形態と異なる部分について詳述する。
第１の実施の形態と異なる点は、災害時用簡易ベッド１１０は、二段式の簡易ベッドを構成しているところにある。
二段式の災害時用簡易ベッド１１０は、図９および図１０に示すように、下段の横たわり用フレーム１２Ａおよび上段の横たわり用フレーム１２Ｂと、４本の支柱１４と、下段の横たわり用シート１６Ａおよび上段の横たわり用シート１６Ｂと、下段の目隠し用シート１８Ａおよび上段の目隠し用シート１８Ｂと、下段のクリアポケット２０Ａおよび上段のクリアポケット２０Ｂを備えている。
【００２２】
下段および上段の横たわり用フレーム１２Ａおよび１２Ｂは、第１の実施の形態に示す構成要素と同一の構成要素を備えている。
二段式の支柱１４は、二段の横たわり用フレーム１２Ａ、１２Ｂを備える関係上、これに使用される支柱１４の長さは、第１の実施の形態に示す支柱１４の長さより長く、例えば、１２０ｃｍ程度としている。
下段および上段の横たわり用シート１６Ａおよび１６Ｂは、第１の実施の形態に示す構成要素と同一の構成要素を備えている。
下段の目隠し用シート１８Ａは、天井シート部１８０２が省略されているものの、その他は第１の実施の形態に示す構成要素と同一の構成要素を備えている。
また、上段の目隠し用シート１８Ｂは、第１の実施の形態に示す目隠し用シート１８と同様な天井ロッド２２に支持された天井シート部１８０２を有する構成要素を備えている。
下段および上段のクリアポケット２０Ａおよび２０Ｂは、第１の実施の形態に示す構成要素と同一の構成要素から構成されている。
【００２３】
第２の実施の形態に示す二段式の災害時用簡易ベッド１１０においては、図１１に示すように、床面から例えば１５ｃｍの高さ位置において、継手部材１２６の支柱用結合部１２６４を介して継手部材１２６を結合ピン１２６８により支柱１４に結合することで、下段の横たわり用フレーム１２Ａは支柱１４に支持される。
また、図１１に示すように、下段の横たわり用フレーム１２Ａの支持位置から高さ方向に例えば７４ｃｍ離れた高さ位置において、継手部材１２６の支柱用結合部１２６４を介して継手部材１２６を結合ピン１２６８により支柱１４に結合することで、上段の横たわり用フレーム１２Ｂは支柱１４に支持される。
そして、天井シート部１８０２は、第１の実施の形態に示す場合と同様に、対角線上に位置する支柱１４の上端間にアーチ状に湾曲した設けられた天井ロッド２２に支持されている。
【００２４】
このような第２の実施の形態に示す二段式の災害時用簡易ベッド１１０によれば、第１の実施の形態と同様な効果が得られるほか、二段式の災害時用簡易ベッド構造としたにも拘わらず、下段の横たわり用シート１６Ａの高さ位置を低くすることで、上段の横たわり用シート１６Ｂの高さ位置も低くでき、災害時用簡易ベッド１１０全体の高さを抑制する上で有利となる。
そのため、上段の横たわり用シート１６Ｂの上り下りが容易となり、また、災害時用簡易ベッド１１０の重心を低くできるので、上段の横たわり用シート１６Ｂへの上り下りに際して災害時用簡易ベッド１１０の安定性を高める上で有利となる。
また、下段の横たわり用フレーム１２Ａの継手部材１２６の支柱用結合部１２６４から上方に突出する支柱１４の突出部分を手すりとして機能させることができることは無論のこと、上段の横たわり用フレーム１２Ｂの継手部材１２６の支柱用結合部１２６４から上方に突出する支柱１４の突出部分も手すりとして機能させることができるため、利用者が上段の横たわり用シート１６Ｂから楽に立ち上がる上で有利となる。
なお、図１１に示すように、支柱１４の上端にパイプ材４０を継ぎ足すことにより、このパイプ材４０に手すり機能を持たせるようにしてもよい。
【００２５】
（第３の実施の形態）
次に第３の実施の形態について図１２〜図１６を参照して説明する。
第３の実施の形態は第１の実施の形態の変形例であり、横たわり用シート１６を横たわり用フレーム１２に掛装する構成が第１の実施の形態と異なっている。
図１２〜図１４に示すように、一対の短辺突出片１６０６には３個の短辺側バックル３４がシート本体１６０２の長手方向と直交する方向に間隔をおいて設けられている。
３個の短辺側バックル３４は、一対の短辺突出片１６０６を、横たわり面Ｐを形成するシート本体１６０２の裏面に着脱可能に取着し、横たわり面Ｐに、シート本体１６０２の長手方向に沿って張力を付与するものである。
短辺側バックル３４は、張力バンド３４０２と、第１連結具３４０４と、第２連結具３４０６と、締付バンド３４０８とを含んで構成されている。
張力バンド３４０２は、長手方向の一端寄りの部分が一対の短辺突出片１６０６のうちの一方の短辺突出片１６０６の裏面に縫い付けられている。
張力バンド３４０２のうち短辺突出片１６０６に縫い付けられた部分は、シート本体１６０２の長手方向の端部から短辺突出片１６０６の突出方向に延在し、張力バンド３４０２の残りの部分は短辺突出片１６０６の外側に突出している。
第１連結具３４０４は、張力バンド３４０２の長手方向の他端に連結されている。
締付バンド３４０８は、その長手方向の一端寄りの部分が一対の短辺突出片１６０６のうちの他方の短辺突出片１６０６の裏面に縫い付けられている。
締付バンド３４０８のうち短辺突出片１６０６に縫い付けられた部分は、シート本体１６０２の長手方向の端部から短辺突出片１６０６の突出方向に延在し、締付バンド３４０８の残りの部分は短辺突出片１６０６の外側に突出している。
第２連結具３４０６は、第１連結具３４０４に係脱可能に連結されるものであり、締付バンド３４０８の長手方向の他端が掛け回されて取着されている。
第１連結具３４０４に第２連結具３４０６が連結された状態で、第２連結具３４０６から引き出された締付バンド３４０８の端部を引っ張ることにより、第２連結具３４０６が本体シート１６０２の長手方向に沿って移動することで、本体シート１６０２の長手方向に沿った張力が横たわり面Ｐに付与される。
【００２６】
また、図１２、図１５、図１６に示すように、シート本体１６０２および一対の長辺突出片１６０４には、４個の長辺側バックル３６がシート本体１６０２の長手方向に間隔をおいて設けられている。
４個の長辺側バックル３６は、一対の長辺突出片１６０４を、横たわり面Ｐを形成するシート本体１６０２の裏面に着脱可能に取着し、シート本体１６０２の横たわり面Ｐにシート本体１６０２の長手方向と直交する方向に沿って張力を付与するものである。
長辺側バックル３６は、張力バンド３６０２と、第１連結具３６０４と、第２連結具３６０６とを含んで構成されている。
張力バンド３６０２は、その長手方向がシート本体１６０２の長手方向と直交した状態で、張力バンド３６０２の長手方向の中間部分が一対の長辺突出片１６０４の裏面およびシート本体１６０２の裏面に縫い付けられている。
張力バンド３６０２のうちシート本体１６０２および一対の長辺突出片１６０４に縫い付けられた部分を除く張力バンド３６０２の残りの部分は、それぞれ一対の長辺突出片１６０４から突出している。
なお、本実施の形態では、張力バンド３６０２と面ファスナー３０Ａ、３０Ｂとが交差する箇所では、面ファスナー３０Ａ、３０Ｂ同士の接合を妨げないように、面ファスナー３０Ａ、３０Ｂの裏面とシート本体１６０２の裏面との間に位置している。
また、張力バンド３６０２と補強テープ１６１０とが交差する箇所では、張力バンド３６０２は、補強テープ１６１０の裏面とシート本体１６０２の裏面との間に位置しているが、張力バンド３６０２が補強テープ１６１０の表面側に位置してもよく、張力バンド３６０２と補強テープ１６１０との位置関係は任意である。
第１連結具３６０４は、一方の長辺突出片１６０４から突出する張力バンド３６０２の部分の端部に連結されている。
第２連結具３６０６は、第１連結具３６０４に係脱可能に連結されるものであり、他方の長辺突出片１６０４から突出する張力バンド３６０２の部分の端部が掛け回されて取着されている。
第１連結具３６０４に第２連結具３６０６が連結された状態で、第２連結具３６０６から引き出された張力バンド３６０２の端部を引っ張ることにより、第２連結具３６０６が本体シート１６０２の長手方向と直交する方向に沿って移動することで、本体シート１６０２の長手方向と直交する方向に沿った張力が横たわり面Ｐに付与される。
【００２７】
横たわり用シート１６を横たわり用フレーム１２に取り付けるに際しては、まず、横たわり用シート１６の一対の長辺突出片１６０４を対応する一対の長尺パイプ材１２２に巻き掛けてシート本体１６０２の裏面側へ折り返し、この一対の長辺突出片１６０４を、面ファスナー３０Ａ、３０Ｂを介してシート本体１６０２の裏面に取着する。
次いで、第１連結具３６０４と第２連結具３６０６とを連結した後、第２連結具３６０６の張力バンド３６０２を締付方向に引っ張ることにより、シート本体１６０２にシート本体１６０２の長手方向と直交する方向の張力を付与する。
次いで、横たわり用シート１６の一対の短辺突出片１６０６を一対の短尺パイプ材１２４に巻き掛けてシート本体１６０２の裏面側へ折り返す。そして、第１連結具３４０４と第２連結具３４０６とを連結した後、第２連結具３４０６の締付バンド３４０８を締付方向に引っ張ることにより、シート本体１６０２にシート本体１６０２の長手方向の張力を付与する。
これにより横たわり用シート１６が横たわり用フレーム１２に掛装される。
【００２８】
第３の実施の形態では、第１の実施の形態と同様の効果が奏されることは無論のこと、短辺側バックル３４によって横たわり用シート１６の横たわり面Ｐにシート本体１６０２の長手方向の張力を付与することに加え、長辺側バックル３６によって横たわり用シート１６の横たわり面Ｐにシート本体１６０２の長手方向と直交する方向の張力を付与することができる。
したがって、横たわり面Ｐの沈み込みをより抑制でき、利用者の腰の落ち込みを防止する上でより一層有利となる。
【００２９】
（第４の実施の形態）
次に第４の実施の形態について図１７〜図２３を参照して説明する。
第４の実施の形態の災害時用簡易ベッド１０Ａは、第１の実施の形態および第３の実施の形態の変形例であり、横たわり用フレーム１２、横たわり用シート１６、目隠し用シート１８、クリアポケット２０、天井ロッド２２の構成が第１の実施の形態と異なっている。
【００３０】
横たわり用フレーム１２について図１８〜図２１を参照して説明する。
図１８に示すように、第１の実施の形態と同様に、横たわり用フレーム１２は、長方形枠状の長辺を構成する一対の長尺パイプ材１２２と、長方形枠状の短辺を構成する一対の短尺パイプ材１２４と、横たわり用フレーム１２の各角部に配置された４個の継手部材１２６とを含んで構成されている。
第４の実施の形態では、各長尺パイプ材１２２は、図１８，図１９、図２０に示すように、３つのパイプ分割体１２２０が着脱可能に結合されることで構成されている。
各パイプ分割体１２２０の長手方向の一端には結合部材１２２２が接合され、長手方向の他端には、結合部材１２２２と着脱可能に結合する結合孔１２２４が径方向に貫通形成されている。
【００３１】
図１９、図２０、図２１に示すように、結合部材１２２２は、本体部１２２２Ａと、一対の結合ピン１２２２Ｂと、板ばね１２２２Ｃとを含んで構成されている。
本体部１２２２Ａは、パイプ分割体１２２０の内径と同じ外径のパイプで構成され、その長手方向の半部がパイプ分割体１２２０の内部に収容されその半部がパイプ分割体１２２０に加締めあるいは溶接あるいは接着により接合され、残りの半部がパイプ分割体１２２０から露出している。
一対の結合ピン１２２２Ｂは、本体部１２２２Ａの残りの半部の径方向に貫通形成された２つの孔から出没可能に設けられている。
板ばね１２２２Ｃは、パイプ分割体１２２０の内部に取り付けられ、一対の結合ピン１２２２Ｂを突出方向に付勢するものである。
板ばね１２２２ＣはＵ字状、あるいは、Ｖ字状に屈曲形成され、板ばね１２２２Ｃの両端寄りの外面にそれぞれ結合ピン１２２２Ｂが取り付けられている。
板ばね１２２２Ｃの結合ピン１２２２Ｂの周囲の箇所がパイプ分割体１２２０の内周面に当接することで結合ピン１２２２Ｂの突出限界位置が決定されている。
【００３２】
そして、一方のパイプ分割体１２２０の結合部材１２２２を、他方のパイプ分割体１２２０の結合孔１２２４が設けられた側に挿入し、結合ピン１２２２Ｂを結合孔１２２４に一致させることで係合ピン１２２２Ａが結合孔１２２４に係合させる。これにより、パイプ分割体１２２０同士が結合される。
パイプ分割体１２２０の結合を解除する場合は、結合ピン１２２２Ｂを押し込んで結合ピン１２２２Ｂと係合孔１２２４との係合を解除し、一方のパイプ分割体１２２０から他方のパイプ分割体１２２０を引き抜いて分離すればよい。
このようにして３つのパイプ分割体１２２０を結合することで長尺パイプ材１２２が組み立てられる。
このように複数のパイプ分割体１２２０を結合することで長尺パイプ材１２２を組み立てることができ、また、長尺パイプ材１２２を複数のパイプ分割体１２２０に分割することができる。
したがって、災害時用簡易ベッド１０Ａの収容時、運搬時には、長尺パイプ材１２２を複数のパイプ分割体１２２０に分割してコンパクトにできるため、収容スペースのコンパクト化、運搬コストの低減を図る上で有利となる。
なお、横たわり用フレーム１２の他の構造、組み立て手順は第１の実施の形態と同様であるため、説明を省略する。
【００３３】
横たわり用シート１６について図２３を参照して説明する。
第４の実施の形態の横たわり用シート１６は第３の実施の形態の変形例であり、横たわり用シート１６を横たわり用フレーム１２に掛装する構成が第１の実施の形態と異なっている。
図２３に示すように、一対の短辺突出片１６０６には４個の短辺側バックル３４がシート本体１６０２の長手方向と直交する方向に間隔をおいて設けられている。
４個の短辺側バックル３４は、一対の短辺突出片１６０６を、横たわり面Ｐを形成するシート本体１６０２の裏面に着脱可能に取着し、横たわり面Ｐに、シート本体１６０２の長手方向に沿って張力を付与するものである。
短辺側バックル３４は、張力バンド３４１０と、第１連結具３４０４と、第２連結具３４０６とを含んで構成されている。
張力バンド３４１０は、長手方向の中間部分がシート本体１６０２および一対の短辺突出片１６０６の裏面の全長にわたって縫い付けられている。
張力バンド３４１０のうちシート本体１６０２および一対の短辺突出片１６０６に縫い付けられた部分を除く張力バンド３６１０の残りの部分は、それぞれ一対の短辺突出片１６０６の端部から突出している。
【００３４】
第１連結具３４０４は、張力バンド３４１０の長手方向の一端に連結されている。
第２連結具３４０６は、第１連結具３４０４に係脱可能に連結されるものであり、張力バンド３４１０の長手方向の他端が掛け回されて取着されている。
第１連結具３４０４に第２連結具３４０６が連結された状態で、第２連結具３４０６から引き出された締付バンド３４０８の端部を引っ張ることにより、第２連結具３４０６が本体シート１６０２の長手方向に沿って移動することで、本体シート１６０２の長手方向に沿った張力が横たわり面Ｐに付与される。
【００３５】
一対の短尺パイプ材１２４に巻き掛けられる一対の短辺突出片１６０６の先端の裏面縁部と該裏面縁部に対向するシート本体１６０２の一対の短辺の裏面縁部には、一対の短辺突出片１６０６をそれぞれ横たわり面Ｐの裏面に着脱可能に取着する面ファスナー３０Ｃ、３０Ｄが短辺突出片１６０６の長手方向およびシート本体１６０２の長手方向と直交する方向に延在してそれぞれ設けられている。
なお、長辺側バックル３６の構成については第３の実施の形態と同様であるため、その説明を省略する。
【００３６】
横たわり用シート１６を横たわり用フレーム１２に取り付けるに際しては、まず、横たわり用シート１６の一対の長辺突出片１６０４を対応する一対の長尺パイプ材１２２に巻き掛けてシート本体１６０２の裏面側へ折り返し、この一対の長辺突出片１６０４を、面ファスナー３０Ａ、３０Ｂを介してシート本体１６０２の裏面に取着する。
次いで、第１連結具３６０４と第２連結具３６０６とを連結した後、第２連結具３６０６の張力バンド３６０２を締付方向に引っ張ることにより、シート本体１６０２にシート本体１６０２の長手方向と直交する方向の張力を付与する。
次いで、横たわり用シート１６の一対の短辺突出片１６０６を一対の短尺パイプ材１２４に巻き掛けてシート本体１６０２の裏面側へ折り返し、この一対の短辺突出片１６０６を、面ファスナー３０Ｃ、３０Ｄを介してシート本体１６０２の裏面に取着する。
次いで、第１連結具３６０４と第２連結具３４０６とを連結した後、第２連結具３４０６の締付バンド３４０８を締付方向に引っ張ることにより、シート本体１６０２にシート本体１６０２の長手方向の張力を付与する。
これにより横たわり用シート１６が横たわり用フレーム１２に掛装される。
【００３７】
第４の実施の形態では、第３の実施の形態と同様の効果が奏されることは無論のこと、短辺側バックル３４の張力バンド３４１０の長手方向の中間部分がシート本体１６０２および一対の短辺突出片１６０６の裏面の全長にわたって縫い付けられているので、
短辺側バックル３４によって横たわり用シート１６の横たわり面Ｐにシート本体１６０２の長手方向の張力をより大きく付与することができる。
したがって、横たわり面Ｐの沈み込みをより抑制でき、利用者の腰の落ち込みを防止する上でさらに有利となる。
【００３８】
次に、天井ロッド２２、目隠し用シート１８、クリアポケット２０について説明する。
図１７、図２２に示すように、天井ロッド２２の長手方向の両端には、キャップ２２０２が設けられている。
キャップ２２０２は、支柱１４の上端が挿入される孔２２０４が設けられている。
したがって、キャップ２２０２の孔２２０４に支柱１４の上端を挿入すれば、天井ロッド２２の長手方向の両端を支柱１４の上端に取り付けることができ、また、キャップ２２０２の孔２２０４から支柱１４の上端を抜き取れば、天井ロッド２２を支柱１４から取り外すことができる。
したがって、災害時用簡易ベッド１０Ａの組立時、分解時の作業性の向上を図る上で有利となっている。
【００３９】
図１７に示すように、４つの側面シート部１８０４Ａ〜１８０４Ｄのうち横たわり用フレーム１２の一方の長辺側に位置する側面シート部１８０２Ａは、その長手方向の両端寄りの箇所が上下方向に沿って切断され、切断部分の縁部が各線ファスナー１８０６により開閉可能に構成され、出入口１８０８として使用されると共に、各線ファスナー１８０６を閉じることによりプライバシーの保護が図られている。
したがって、側面シート部１８０２Ａと天井シート部１８０２の境目と、各線ファスナー１８０６で囲まれた側面シート部１８０２Ａの矩形部分が出入口１８０８を開閉する扉部１８１０として機能する。
【００４０】
さらに、側面シート部１８０２Ａと天井シート部１８０２の境目で各線ファスナー１８０６よりも内側の２箇所には、留め具１９が設けられている。
この留め具１９は、目隠し用シート１８の外側に縫い付けられたリング状の紐で形成された輪部１９０２と、目隠し用シート１８の内側に縫い付けられた紐部１９０４の先部に取り付けられ輪部１９０２に係脱可能な係止棒１９０６とで構成されている。
留め具１９は、以下のようにして使用される。
２つの線ファスナー１８０６を開き、扉部１８１０をその下縁から筒状に巻き上げる。
筒状に巻き上げられた扉部１８１０が留め具１９の位置まで到達したならば、２つの留め具１９の輪部１９０２と紐部１９０４との間に巻き上げられた扉部１８１０を挟んで、係止棒１９０６を輪部１９０２に係止する。これにより巻き上げられた扉部１８１０が出入口１８０８の上部で保持され、出入口１８０８が開放状態となる。
出入口１８０８を扉部１８１０で閉じる場合は、２つの留め具１９の係止を解除して、扉部１８１０を下方に展開すればよい。
したがって、留め具１９を用いて扉部１８１０を保持することで、出入口１８０８の開放状態が維持されるので、災害時用簡易ベッド１０Ａの出入りが容易にでき、使い勝手の向上が図られている。
【００４１】
図１７に示すように、横たわり用フレーム１２の一方の短辺側に位置する２本の支柱１４の上下方向の中間部には、クリアポケット２０Ｃが着脱可能に取り付けられている。
クリアポケット２０Ｃは、帯状部２００２と、帯状部２００２の中間部に設けられたポケット本体２００４とを備えている。
帯状部２００２は、２本の支柱１４の間の寸法と同一の長さを有しており、その両端に不図示のフックが設けられ、各フックが支柱１４に設けられた不図示の孔に係脱可能に取り付けられるように構成されている。
なお、帯状部２００２の両端と２本の支柱１４との取り付け構造は、フックと孔を用いるものに限定されず、従来公知の様々な取り付け構造が使用可能である。
ポケット本体２００４は、横長の長方形を呈し、複数のポケット２００６を有している。
各ポケット２００６は、透明で可撓性を有する合成樹脂のシートを用いて構成され、このような合成樹脂のシートとして、スマートフォンやタブレット端末のタッチパネル（スクリーン）に対するタッチ操作が可能に構成された防水ケースに用いられているＰＶＣ（ポリ塩化ビニル）など従来公知の様々な合成樹脂が使用可能である。
【００４２】
帯状部２００２の両端を２本の支柱１４に取り付けることでクリアポケット２０Ｃは、２本の支柱１４の間に架け渡され、目隠し用シート１８の内側の空間に設置される。
このようなクリアポケット２０Ｃを設けることで、災害時用簡易ベッド１０Ａの利用者は、クリアポケット２０Ｃに収納したスマートフォンやタブレット端末を取り出すことなく、タッチパネルに対するタッチ操作を容易に行なうことができ、使い勝手の向上を図る上で有利となる。
また、クリアポケット２０Ｃには、ペットボトル飲料など、利用者が必要とする物品を自由に収容でき、それら物品を目隠し用シート１８の内側の空間から利用でき、使い勝手の向上を図る上で有利となる。
【００４３】
（第５の実施の形態）
次に、第５の実施の形態を図２４〜図２６を参照して説明する。
第５の実施の形態が第４の実施の形態と異なる点は、災害時用簡易ベッド１１０Ａは、二段式の簡易ベッドを構成しているところにある。
二段式の災害時用簡易ベッド１１０Ａは、図２４および図２５に示すように、下段の横たわり用フレーム１２Ａおよび上段の横たわり用フレーム１２Ｂと、４本の支柱１４と、下段の横たわり用シート１６Ａおよび上段の横たわり用シート１６Ｂと、下段の目隠し用シート１８Ａおよび上段の目隠し用シート１８Ｂと、下段のクリアポケット２０Ｃおよび上段のクリアポケット２０Ｄを備えている。
【００４４】
第５の実施の形態では、４本の支柱１４が、それぞれ複数の支柱分割体を結合することで構成されている。
複数の支柱分割体は、最も下方に床面に近い箇所に位置する下部支柱分割体１４０２と、下部支柱分割体１４０２の上端に結合される上部支柱分割体１４０４とで構成されている。
なお、本実施の形態では、下部支柱分割体１４０２の長さは、第３の実施の形態の支柱１４の長さと同等となっている。
【００４５】
下部支柱分割体１４０２と上部支柱分割体１４０４とは結合部材１４０６を介して結合されている。
図２６に示すように、下部支柱分割体１４０２の上部には下部支柱分割体１４０２の径方向に結合孔１４０２Ａが貫通形成されている。
また、上部支柱分割体１４０４の下部には上部支柱分割体１４０４の径方向に結合孔１４０４Ａが貫通形成されている。
そして、結合部材１４０６は、下部支柱分割体１４０２および上部支柱分割体１４０４の内径と同じ外径のパイプ材で構成され、その長手方向の半部が下部支柱分割体１４０２の内部に収容可能に、かつ、残りの半部が上部支柱分割体１４０４の内部に収容可能に構成されている。
結合部材１４０６は、各結合孔１４０２Ａ、１４０４Ａに対応する箇所にそれら結合孔１４０２Ａ、１４０４Ａに係合する係合ピン１４０８を備えている。
各係合ピン１４０８は結合部材１４０６の径方向外側に突出するように不図示の板ばねにより付勢されている。これら係合ピン１４０８と板ばねの構成は、前述した図１９、図２０に示した一対の係合ピン１２２２Ｂと板ばね１２２２Ｃと同様である。
そして、結合部材１４０６の長手方向の半部を下部支柱分割体１４０２の内部に挿入して、係合ピン１４０８を下部支柱分割体１４０２の結合孔１４０２Ａに一致させることで係合ピン１４０８が結合孔１４０２Ａに係合させる。
次いで、結合部材１４０６の長手方向の残りの半部を上部支柱分割体１４０４の内部に挿入して、係合ピン１４０８を上部支柱分割体１４０４の結合孔１４０４Ａに一致させることで係合ピン１４０８が結合孔１４０４Ａに係合させる。
これにより、下部支柱分割体１４０２と上部支柱分割体１４０４とが結合部材１４０６を介して着脱可能に結合される。
【００４６】
次に、継手部材１２６と支柱１４との結合構造について説明する。
第５の実施の形態では、上段の横たわり用フレーム１２Ａを構成する継手部材１２６と支柱１４との結合構造は、第３の実施の形態の構造と同様であり、図３、図４を流用して説明すると、継手部材１２６の支柱用結合部１２６４を介して継手部材１２６を結合ピン１２６８により支柱１４（上部支柱分割体１４０４）に結合することで、上段の横たわり用フレーム１２Ｂが支柱１４に支持される。
【００４７】
下段の横たわり用フレーム１２Ｂを構成する継手部材１２６と支柱１４との結合構造は、下段の横たわり用フレーム１２Ｂの上下位置を変更できるように構成されている。
すなわち、支柱１４の下部を構成する下部支柱分割体１４０２には、支柱１４の径方向に貫通する下部結合孔１４２Ａと上部結合孔１４２Ｂが形成されている。
下部結合孔１４２Ａは、下部支柱分割体１４０２の下端寄りの箇所に形成されている。
上部結合孔１４２Ｂは、下部支柱分割体１４０２の上下中間部の箇所に形成されている。
また、継手部材１２６の支柱用結合部１２６４には、支柱用結合部１２６４の径方向に貫通する結合孔１２６６が下部結合孔１４２Ａ、上部結合孔１４２Ｂに対応して形成されている。
【００４８】
したがって、支柱用結合部１２６４内に挿通した下部支柱分割体１４０２の下部結合孔１４２Ａを支柱用結合部１２６４の結合孔１２６６に一致させた状態で結合ピン１２６８を、結合孔１２６６を通して下部結合孔１４２Ａに係合すると、継手部材１２６が支柱１４に固定され、下部支柱分割体１４０２の下部結合孔１４２Ａの位置に対応した第１の高さ位置で継手部材１２６が支柱１４に結合され、継手部材１２６および下段の横たわり用フレーム１２Ｂが第１の高さ位置で支柱１４に支持される。
また、支柱用結合部１２６４内に挿通した下部支柱分割体１４０２の上部結合孔１４２Ｂを支柱用結合部１２６４の結合孔１２６６に一致させた状態で結合ピン１２６８を、結合孔１２６６を通して上部結合孔１４２Ｂに係合すると、継手部材１２６が支柱１４に固定され、下部支柱分割体１４０２の上部結合孔１４２Ｂの位置に対応した第２の高さ位置で継手部材１２６が支柱１４に結合され、継手部材１２６および下段の横たわり用フレーム１２Ｂが第２の高さ位置で支柱１４に支持される。
ここで、第１の高さ位置は、床面から１５ｃｍ程度の高さとなる位置であり、第２の高さ位置は、床面から２０〜４０ｃｍ程度の高さとなる位置である。
【００４９】
このような第２の実施の形態に示す二段式の災害時用簡易ベッド１１０Ａによれば、第２、第３の実施の形態と同様な効果が得られることは無論のこと下記のように二段式と一段式との双方の災害時用簡易ベッド１１０Ａを実現することができる。
すなわち、災害時用簡易ベッド１１０Ａを二段式として使用する場合は、図２５のように、下部支柱分割体１４０２、上部支柱分割体１４０４により支柱１４を構成し、継手部材１２６を介して上端の横たわりフレーム１２Ａ、下段の横たわり用フレーム１２Ｂを支柱１４で支持し、上段の目隠しシート１８Ａ、下段の目隠しシート１８Ｂを取り付けることで二段式の災害時用簡易ベッド１１０Ａが完成する。
この場合、継手部材１２６および下段の横たわり用フレーム１２Ｂが第１の高さ位置で支柱１４に支持されるように継手部材１２６の位置を決定すると、第２の実施の形態の場合と同様に、二段式の災害時用簡易ベッド構造としたにも拘わらず、下段の横たわり用シート１６Ａの高さ位置を低くすることで、上段の横たわり用シート１６Ｂの高さ位置も低くでき、災害時用簡易ベッド１１０Ａ全体の高さを抑制する上で有利となる。
そのため、上段の横たわり用シート１６Ｂの上り下りが容易となり、また、災害時用簡易ベッド１１０の重心を低くできるので、上段の横たわり用シート１６Ｂへの上り下りに際して災害時用簡易ベッド１１０Ａの安定性を高める上で有利となる。
【００５０】
また、災害時用簡易ベッド１１０Ａを一段式として使用する場合は、上部支柱分割体１４０４、上段の横たわりフレーム１２Ａを省略し、下部支柱分割体１４０２、下段の横たわりフレーム１２Ｂを用いて災害時用簡易ベッド１１０Ａを組み立てる。
この場合、天井ロッド２２の両端は下部支柱分割体１４０２の上端に組み付け、上段の目隠しシート１８Ａを取り付けることで一段式の災害時用簡易ベッド１１０Ａが完成する。
この場合、継手部材１２６および下段の横たわり用フレーム１２Ｂが第２の高さ位置で支柱１４に支持されるように継手部材１２６の位置を決定すると、第１の実施の形態の場合と同様に、横たわり面Ｐの床からの高さが２０〜４０ｃｍ程度となり、利用者が横たわり用シート１６から楽に立ち上がる上で有利となる。
【００５１】
このような第５の実施の形態によれば、災害時用簡易ベッド１１０Ａを一段式、二段式の何れかに変更して組み立てることができ、使い勝手の向上を図る上で有利となる。
なお、本実施の形態では、下部支柱分割体１４０２の下部結合孔１４２Ａ、上部結合孔１４２Ｂに結合される結合ピン１２６８が、図３、図４に示すように、継手部材１２６とは別体に構成されている場合について説明した。
しかしながら、前述した図１９、図２０に示した一対の係合ピン１２２２Ｂと板ばね１２２２Ｃと同様に結合ピン１２６８と板ばねを継手部材１２６（支柱用結合部１２６４）の内部に組み込み、結合ピン１２６８が支柱用結合部１２６４の径方向外側に突出するように構成してもよいことは無論である。
このようにすると、結合ピン１２６８と下部結合孔１４２Ａ、上部結合孔１４２Ｂとの係脱を簡単に行なう上で有利となり、使い勝手の向上を図る上で有利となる。
【００５２】
（第６の実施の形態）
次に、第６の実施の形態について図２７〜図２９を参照して説明する。
第６の実施の形態は、第１、第３、第４の実施の形態の変形例であり、災害時用簡易ベッド１０Ｂの利用者が寝返りをした際に災害時用簡易ベッド１０Ｂの側部から転落することを防止するようにしたものである。
図２７、図２８に示すように、横たわり用シート１６に転落防止シート４２が設けられている。
転落防止シート４２は、転落防止シート本体４２０２と、一対の転落防止片４２０４と、帯状部材４２０６と、面ファスナー４２０８Ａ、４２０８Ｂとを含んで構成されている。
【００５３】
転落防止シート本体４２０２は、横たわり用シート１６のシート本体１６０２と同形同大の長方形状を呈している。
転落防止シート本体４２０２は、シート本体１６０２と長辺、短辺を合致させた状態でシート本体１６０２の一方の面（上面）に重ね合わされた状態で取り付けられている。
一対の転落防止片４２０４は、転落防止シート本体４２０２の一対の長辺から突設されており、一対の長辺突出片１６０４とは切り離されている。
一対の転落防止片４２０４の長手方向と直交する方向の幅は、一対の転落防止片４２０４を転落防止シート本体４２０２の長辺から起立させたときに、利用者の転落を防止するに足る高さを形成する寸法で形成されている。
【００５４】
帯状部材４２０６は、一対の転落防止片４２０４の先部に設けられ、帯状部材４２０６の両端は、一対の転落防止片４２０４の長手方向の両端から突出している。
面ファスナー４２０８Ａ、４２０８Ｂは、帯状部材４２０６とほぼ同一の幅を呈する細長状を呈し、互いに係脱可能に構成されている。
各転落防止片４２０４の長手方向の両端から突出した帯状部材４２０６の部分の長手方向の半部に一方の面ファスナー４２０８Ａが設けられ、長手方向の他方の半部に他方の面ファスナー４２０８Ｂが設けられている。
【００５５】
横たわり用シート１６の一対の長辺突出片１６０４が一対の長尺パイプ材１２２に巻き掛けられてシート本体１６０２の裏面側へ折り返され、長辺側バックル３６（図２３参照）によって、横たわり面Ｐに、シート本体１６０２の長手方向に沿って張力が付与されると共に、横たわり用シート１６の一対の短辺突出片１６０６が一対の短尺パイプ材１２４に巻き掛けられてシート本体１６０２の裏面側へ折り返され、短辺側バックル３４によって、横たわり面Ｐに、シート本体１６０２の長手方向に沿って張力が付与されることは前述した場合と同様である。
なお、図２７、図２８では、長辺側バックル３６の図示を省略した。
この状態で、一対の転落防止片４２０４を転落防止シート本体４２０２の長辺から起立させ、帯状部材４２０６の両端を支柱１４の上部に掛け回して折返し、互いに対向する面ファスナー４２０８Ａ、４２０８Ｂを係合させる。
これにより、図２９に示すように、一対の転落防止片４２０４が転落防止シート本体４２０２の長辺から起立した起立状態が保持される。なお、図２９においては、横たわり用シート１６の図示を省略し転落防止シート４２のみを図示している。
したがって、一対の転落防止片４２０４の双方を起立状態とすることで、横たわり用シート１６に横たわった利用者が横たわり用シート１６の側部から転落することを防止できる。
また、転落防止片４２０４の面ファスナー４２０８Ａ、４２０８Ｂの係合を解除することで、転落防止片４２０４の起立状態を解除して利用者が災害時用簡易ベッド１０Ｂ０への出入りを簡単に行なうことができる。
【００５６】
第６の実施の形態によれば、転落防止シート４２により利用者の転落防止を図る上で有利となり、災害時用簡易ベッドの利用価値を高める上で有利となる。
【００５７】
（第７の実施の形態）
次に、第７の実施の形態について図３０を参照して説明する。
第７の実施の形態は第６の実施の形態の変形例であり、帯状部材４２０６の支柱１４への取り付け構造が第６の実施の形態と異なっている。
図３０に示すように、転落防止シート４２の帯状部材４２０６は、帯状部材４２０６の両端（先端）に設けられた取り付け部４４を介して支柱１４に取り付けられ、したがって、取り付け部４４は４つの支柱１４に対応して合計４つ設けられている。
取り付け部４４は、支柱用筒部４４０２と、ロッド用筒部４４０４と、取り付けベルト４４０６と、第１連結具４４０８と、第２連結具４４１０とを含んで構成されている。
支柱用筒部４４０２は、支柱１４が挿入可能な内径の筒状の本体４４０２Ａと、本体４４０２Ａの上端を閉塞する上壁４４０２Ｂとを有している。
支柱用筒部４４０２は、本体４４０２Ａの内部に支柱１４の上部が挿入され支柱１４の上端が上壁４４０２Ｂに係止することで支柱１４の上部に取り付けられる。
ロッド用筒部４４０４は、天井ロッド２２の長手方向の端部２２１０が挿入可能な内径の筒状を呈し、ロッド用筒部４４０４は、その軸心を支柱用筒部４４０２の軸心と平行させた状態で支柱用筒部４４０２の上部の外周面に取り付けられている。
なお、支柱用筒部４４０２が支柱１４の上部に取り付けられることで、天井ロッド２２の端部２２１０を挿入する支柱１４の孔が閉塞されてしまうことから、天井ロッド２２の端部を挿入するためにロッド用筒部４４０４が設けられている。
本実施の形態では、支柱用筒部４４０２およびロッド用筒部４４０４は、共に布を縫い合わせることで構成されている。
【００５８】
取り付けベルト４４０６は、その長手方向の一端が支柱用筒部４４０２の長手方向の中間部の外周面に縫い付けられている。
第１連結具４４０８は、取り付けベルト４４０６の長手方向の他端に連結されている。
第２連結具４４１０は、第１連結具４４０８と係脱可能に連結されるものであり、転落防止シート４２の帯状部材４２０６の先端が掛け回されて取着されている。
【００５９】
次に、取り付け部４４を用いた転落防止シート４２の使用方法について説明する。
まず、４つの支柱１４の上部に、支柱用筒部４４０２を取り付ける。
そして、各ロッド用筒部４４０４に、天井ロッド２２の端部を挿入して取り付ける。
転落防止シート４２の一対の転落防止片４２０４を転落防止シート本体４２０２の長辺から起立させ、各取り付け部４４の第２連結具４４１０を対応する第１連結具４４０８に連結し、各第２連結具４４１０に掛け回された帯状部材４２０６の端部を引っ張る。
これにより、第２連結具４４１０が帯状部材４２０６の長手方向に沿って移動して帯状部材４２０６を介して転落防止片４２０４の長手方向に沿って張力が加わり、一対の転落防止片４２０４が転落防止シート本体４２０２の長辺から起立した起立状態が保持される。
したがって、第６の実施の形態と同様に、一対の転落防止片４２０４の双方を起立状態とすることで、横たわり用シート１６に横たわった利用者が横たわり用シート１６の側部から転落することを防止できる。
また、取り付け部４４の第１連結具４４０８と第２連結具４４１０の連結を解除することで、転落防止片４２０４の起立状態を解除して利用者が災害時用簡易ベッド１０Ｂへの出入りを簡単に行なうことができる。
【００６０】
第７の実施の形態によれば、第６の実施の形態と同様の効果が奏されることは無論のこと、第１連結具４４０８と第２連結具４４１０を用いた簡単な操作により、一対の転落防止片４２０４を起立状態にでき、あるいは、起立状態を解除できるため、操作性の向上を図る上で有利となり、災害時用簡易ベッドの利用価値を高める上でより有利となる。
【００６１】
（第８の実施の形態）
次に第８の実施の形態について図３１、図３２を参照して説明する。
第８の実施の形態は、１つあるいは２つの支柱分割体４６と、支柱用ロッド４８とを組み合わせて構成することで、１段用災害時用簡易ベッド用の支柱１４Ａと、２段用災害時用簡易ベッド用の支柱１４Ｂとを簡単に組み立てることができるようにしたものである。
まず、図３１を参照して支柱１４Ａ、１４Ｂを構成する部品について説明する。
支柱１４Ａ、１４Ｂは、支柱用分割体４６と、支柱用ロッド４８と、結合部材５０と、継手部材１２６と、エンドキャップ５４とを含んで構成されている。
支柱用分割体４６は、１段用災害時用簡易ベッド用の支柱１４Ａの場合は、支柱１４Ａ毎に１つ使用し、２段用災害時用簡易ベッド用の支柱１４Ｂの場合は支柱１４Ｂ毎に２つ使用する。
支柱用分割体４６は、パイプ材で構成された本体４６０２を有している。
本体４６０２の長手方向の両端には、第１連結孔４６０４Ａ、第２連結孔４６０４Ｂがそれぞれ径方向に貫通形成されている。
また、本体４６０２の第１連結孔４６０４寄りの箇所に、径方向に貫通する孔を介して出没可能に設けられ、径方向外側に突出する方向に付勢された第１結合ピン４６０６Ａが設けられている。
また、本体４６０２の第１結合ピン４６０６Ａよりも第２結合ピン４６０６Ｂ寄りの箇所に、径方向に貫通する孔を介して出没可能に設けられ、径方向外側に突出する方向に付勢された第２結合ピン４６０６Ｂが設けられている。
第１、第２結合ピン４６０６Ａ、４６０６Ｂは、本体４６０２の内部に設けられた不図示の板ばねによって付勢され、これら第１、第２結合ピン４６０６Ａ、４６０６Ｂ、板ばねの構成は、第４の実施の形態（図２０）で説明した構成と同様である。
【００６２】
支柱用ロッド４８は、例えば、ガラス繊維強化樹脂（ＧＦＲＰ）などの軽量な繊維強化樹脂（ＦＲＰ）によって構成されている。
支柱用ロッド４８は、長手方向の一端寄りの箇所に外径が他の部分よりも大きな大径部４８０２が形成されている。
したがって、支柱用ロッド４８は、その長手方向の何れか一方の端部から大径部４８０２までの距離Ｌ１が、長手方向の他方の端部から大径部４８０２までの距離Ｌ２よりも小さい寸法となっている。
支柱用ロッド４８のうち距離Ｌ１に対応する部分を第１部分４８Ａとし、支柱用ロッド４８のうち距離Ｌ２に対応する部分を第２部分４８Ｂとする。
大径部４８０２の外径は、後述するエンドキャップ５４の孔５４０２の内径よりも大きな寸法で形成されている。
なお、支柱用ロッド４８の外周面に嵌合される筒状の部材を支柱用ロッド４８と別体に構成しておき、この筒状の部材を支柱用ロッド４８に後付けで一体的に取り付けても良い。
【００６３】
結合部材５０は、２つの支柱用分割体４６を着脱可能に結合するものである。
結合部材５０は、パイプ材で構成され支柱用分割体４６の孔に挿入可能な外径で構成され、一方の支柱用分割体４６の第１連結孔４６０４Ａと、他方の支柱用分割体４６の第２連結孔４６０４Ｂとに対応する箇所にそれら結合孔４６０４Ａ、４６０４Ｂに係合する係合ピン５００２を備えている。
各係合ピン５００２は結合部材５０の径方向外側に突出するように不図示の板ばねにより付勢されている。これら係合ピン１４０８と板ばねの構成は、前述した図１９、図２０に示した一対の係合ピン１２２２Ｂと板ばね１２２２Ｃと同様である。
そして、結合部材５０の長手方向の半部を一方の支柱分割体４６の内部に挿入して、係合ピン５００２を一方の支柱分割体４６の結合孔４６０４Ａに一致させることで係合ピン５００２を結合孔４６０４Ａに係合させる。
次いで、結合部材５０の長手方向の残りの半部を他方の支柱分割体４６の内部に挿入して、係合ピン５００２を他方の支柱分割体４６の結合孔４６０４Ｂに一致させることで係合ピン５００２を結合孔４６０４Ｂに係合させる。
これにより、図３２（Ｂ）に示すように、２つの支柱分割体４６とが結合部材５０を介して着脱可能に結合される。
【００６４】
継手部材１２６は、第１の実施の形態と同様に構成され、図３を流用して説明すると、各短尺パイプ材１２４の両端と各長尺パイプ材１２２の両端とをそれぞれ着脱可能に結合するパイプ材用結合部１２６２と、パイプ材用結合部１２６２に一体に設けられ、支柱１４が着脱可能に結合する筒状の支柱用結合部１２６４とを有している。
支柱用結合部１２６４には、支柱用結合部１２６４の径方向に貫通する結合孔１２６６が設けられている。
本実施の形態では、図３２（Ａ）、（Ｂ）に示すように、支柱用結合部１２６４内に挿通した支柱用分割体４６の第１結合ピン４６０６Ａまたは第２結合ピン４６０６Ｂが結合孔１２６６に係合することで、継手部材１２６を支柱１４に固定して横たわり用フレーム１２を支柱１４に支持することが可能になる。
【００６５】
エンドキャップ５４は、支柱用分割体４６の長手方向の端部に着脱可能に設けられた環状の部材であり、支柱用分割体４６の端部を覆うことで、第１の実施の形態における床面設置用の脚パット２４として機能し、また、支柱用ロッド４８の大径部４８０２に係止する係止部として機能する。
エンドキャップ５４は、支柱用分割体４６の端部が嵌合される不図示の環状の溝部を有し、支柱用分割体４６の外径よりも大きな外径で構成され、支柱用分割体４６の内径よりも大きく、支柱用ロッド４８の第１部分４８Ａ、第２部分４８Ｂが挿入可能な内径の孔５４０２を有している。
【００６６】
次に、１段用災害時用簡易ベッド用の支柱１４Ａの組み立てについて説明する。
図３２（Ａ）に示すように、支柱用分割体４６は、第１結合ピン４６０６Ａが第２結合ピン４６０６Ｂの下側に位置するように使用する。
支柱用分割体４６を継手部材１２６の支柱用結合部１２６４内に挿通し、支柱用分割体４６の第２結合ピン４６０６Ｂを結合孔１２６６に係合する。
次いで、支柱用分割体４６の長手方向の両端にエンドキャップ５４を装着する。
次いで、支柱用ロッド４８の第１部分４８Ａを上側のエンドキャップ５４の孔５４０２に挿入し、大径部４８０２の端部を上側のエンドキャップ５４の上面に係止させ、支柱用ロッド４８の第２部分４８Ｂをエンドキャップ５４から上方に突出させる。
これにより支柱１４が完成する。
なお、支柱用分割体４６の第１結合ピン４６０６Ａを結合孔１２６６に係合すれば、図３２（Ａ）に比較して横たわり面Ｐを低い箇所（床面に近い）箇所とすることができる。
また、支柱用ロッド４８の第２部分４８Ｂの上端と天井ロッド２２との結合は、第２部分４８Ｂの上端が天井ロッド２２の端部に形成された係合孔２２２０に係合することでなされる。
【００６７】
次に、２段用災害時用簡易ベッド用の支柱１４Ｂの組み立てについて説明する。
図３２（Ｂ）に示すように、結合部材５０の長手方向の半部を一方の支柱用分割体４６に挿入し、係合ピン５００２を一方の支柱用分割体４６の連結孔４６０４Ａに係合させる。
また、結合部材５０の長手方向の残りの半部を他方の支柱用分割体４６に挿入し、係合ピン５００２を他方の支柱用分割体４６の連結孔４６０４Ｂに係合させ、２つの支柱用分割体４６を結合部材５０を介して連結する。
連結された２つの支柱用分割体４６は、それぞれ第１結合ピン４６０６Ａが第２結合ピン４６０６Ｂの下側に位置するように使用する。
下方（床側）に位置させる支柱用分割体４６を下方（床側）に位置させる継手部材１２６の支柱用結合部１２６４内に挿通し、支柱用分割体４６の第１結合ピン４６０６Ａを結合孔１２６６に係合する。
さらに、上側に位置させる支柱用分割体４６を上側に位置させる継手部材１２６の支柱用結合部１２６４内に挿通し、支柱用分割体４６の第１結合ピン４６０６Ａを結合孔１２６６に係合する。
次いで、上側に位置させる支柱用分割体４６の上端と、下側に位置させる支柱用分割体４６の下端にエンドキャップ５４を装着する。
次いで、支柱用ロッド４８の第２部分４８Ｂを上側のエンドキャップ５４の孔５４０２に挿入し、大径部４８０２の端部を上側のエンドキャップ５４の上面に係止させ、支柱用ロッド４８の第１部分４８Ａをエンドキャップ５４から上方に突出させる。
これにより支柱１４が完成する。
なお、支柱用分割体４６の第２結合ピン４６０６Ｂを結合孔１２６６に係合すれば、図３２（Ｂ）に比較して横たわり面Ｐを床面から遠い箇所（高い箇所）とすることができる。
また、１段用災害時用簡易ベッド用の支柱１４Ａであっても２段用災害時用簡易ベッド用の支柱１４Ｂであっても、支柱用ロッド４８の第１部分４８Ａと第２部分４８Ｂの何れを上側のエンドキャップ５４の孔５４０２に挿入するかによって、天井ロッド２２の高さ位置を２段階に変更でき、目隠しシート１８の高さ位置を変更することができる。
【００６８】
第８の実施の形態によれば、２つの支柱用分割体４６と１つの支柱用ロッド４８を組み合わせることで、１段用災害時用簡易ベッド用の支柱１４Ａと、２段用災害時用簡易ベッド用の支柱１４Ｂとを構成できるため、用途に応じて１段用災害時用簡易ベッドと２段用災害時用簡易ベッドを簡単に迅速に組み立てる上で有利となる。
また、支柱１４のうち、継手部材１２６を介して利用者の体重を支える支柱用分割体４６をパイプ材で構成すると共に、天井ロッド２２を介して目隠し用シート１８の荷重を支える支柱用ロッド４８を繊維強化樹脂材料で構成したので、支柱１４Ａ、１４Ｂの強度を確保しつつ支柱１４を軽量化でき、災害時用簡易ベッドの軽量化を図る上で有利となる。
【００６９】
なお、上記実施の形態では、一段または二段式の災害時用簡易ベッドについて説明したが、本発明はこれに限定されず、三段式乃至それ以上の災害時用簡易ベッドにも本発明を適用することが可能である。
また、横たわり用フレーム１２を支柱１４に支持する方式および横たわり用シート１６を横たわり用フレーム１２に掛装する方式も上記実施の形態に示すものに限定されず、特許請求の範囲に記載された構成要件を逸脱しない範囲において種々変更し得ることは勿論である。
【符号の説明】
【００７０】
１０、１０Ａ、１０Ｂ、１１０、１１０Ａ  災害時用簡易ベッド
１２  横たわり用フレーム
１２２  長尺パイプ材
１２４  短尺パイプ材
１２６  継手部材
１２６４  支柱用結合部
１４  支柱
１６  横たわり用シート
１６０２  シート本体
１６０４  長辺突出片
１６０６  短辺突出片
１６１０  補強テープ
１８  目隠し用シート
Ｐ  横たわり面
１８０２  天井シート部
１８０４Ａ〜１８０４Ｄ  側面シート部
２０  クリアポケット
２６  結合部材
２８  補強材
３０Ａ、３０Ｂ  面ファスナー
３２  短辺側バックル
３４  短辺側バックル
３６  長辺側バックル
１２Ａ  下段の横たわり用フレーム
１２Ｂ  上段の横たわり用フレーム
１６Ａ  下段の横たわり用シート
１６Ｂ  上段の横たわり用シート
１８Ａ  下段の目隠し用シート
１８Ｂ  下段の目隠し用シート
１９  留め具
２０Ａ  下段のクリアポケット
２０Ｂ  上段のクリアポケット
２０Ｃ  クリアポケット、下段のクリアポケット
２０Ｄ  上段のクリアポケット
４２  転落防止シート
４２０２  転落防止シート本体
４２０４  転落防止片
４２０６  帯状部材
４６  支柱用分割体
４８  支柱用ロッド
【図１】
2020048988.tif 000003
【図２】
2020048988.tif 000004
【図３】
2020048988.tif 000005
【図４】
2020048988.tif 000006
【図５】
2020048988.tif 000007
【図６】
2020048988.tif 000008
【図７】
2020048988.tif 000009
【図８】
2020048988.tif 000010
【図９】
2020048988.tif 000011
【図１０】
2020048988.tif 000012
【図１１】
2020048988.tif 000013
【図１２】
2020048988.tif 000014
【図１３】
2020048988.tif 000015
【図１４】
2020048988.tif 000016
【図１５】
2020048988.tif 000017
【図１６】
2020048988.tif 000018
【図１７】
2020048988.tif 000019
【図１８】
2020048988.tif 000020
【図１９】
2020048988.tif 000021
【図２０】
2020048988.tif 000022
【図２１】
2020048988.tif 000023
【図２２】
2020048988.tif 000024
【図２３】
2020048988.tif 000025
【図２４】
2020048988.tif 000026
【図２５】
2020048988.tif 000027
【図２６】
2020048988.tif 000028
【図２７】
2020048988.tif 000029
【図２８】
2020048988.tif 000030
【図２９】
2020048988.tif 000031
【図３０】
2020048988.tif 000032
【図３１】
2020048988.tif 000033
【図３２】
2020048988.tif 000034